(57)【特許請求の範囲】
【請求項１】
セルラ通信システムに含まれるネットワークノード（800）と通信するとともに、第１の周波数帯域をサポートしているユーザ装置（700）における方法であって、
前記ネットワークノードは、第２の周波数帯域で動作し、前記第２の周波数帯域は、前記第１の周波数帯域のサブバンドであるか、または前記第１の周波数帯域と重なっており、前記方法は、
前記第２の周波数帯域のチャネル番号に関連する少なくとも１つのパラメータを取得するステップ（30,43,55）を含み、
前記方法は、前記少なくとも１つのパラメータの取得前には前記ユーザ装置が識別できない前記第２の周波数帯域及び前記第２の周波数帯域に関連するチャネルナンバリング方式の識別を、前記少なくとも１つのパラメータの取得時に可能にする、前記ユーザ装置におけるルールのセットに従って実行される以下のステップ、
前記取得された少なくとも１つのパラメータに対応する前記第２の周波数帯域を判定するステップ（31,44,56）と、
前記第２の周波数帯域に関連する前記チャネルナンバリング方式を実装することによって、前記チャネルナンバリング方式を前記ユーザ装置が使用できるようにするステップ（32,45,57）と、
前記チャネルナンバリング方式を使用して前記第２の周波数帯域で前記ネットワークノードと通信するステップ（33,46,58）と
を更に含むことを特徴とする方法。
【請求項２】
前記第２の周波数帯域に関連する前記少なくとも１つのパラメータは、前記ユーザ装置において予め定められていることを特徴とする請求項１に記載の方法。
【請求項３】
前記第２の周波数帯域に関連する前記チャネルナンバリング方式を認識する機能を前記ユーザ装置が有することを、前記ネットワークノードに知らせるステップ（40）を更に含み、
前記第２の周波数帯域の前記チャネル番号に関連する前記少なくとも１つのパラメータを取得する前記ステップ（43）は、前記ネットワークノードから前記少なくとも１つのパラメータを受信するステップを更に含む
ことを特徴とする請求項１に記載の方法。
【請求項４】
前記ネットワークノードが前記第１の周波数帯域で動作するかを判定するステップ（52）と、
前記ユーザ装置が第１の周波数帯域機能を有することを前記ネットワークノードに報告するステップ（53）と、を更に含み、
前記第２の周波数帯域の前記チャネル番号に関連する前記少なくとも１つのパラメータを取得する前記ステップ（55）は、前記少なくとも１つのパラメータを前記ネットワークノードから受信するステップ（54）を更に含む
ことを特徴とする請求項１に記載の方法。
【請求項５】
前記第１の周波数帯域は、調和された帯域であり、前記第２の周波数帯域は、個別の周波数帯域であることを特徴とする請求項１乃至４のいずれか１項に記載の方法。
【請求項６】
前記少なくとも１つのパラメータは、前記第２の周波数帯域の前記チャネル番号であることを特徴とする請求項１乃至５のいずれか１項に記載の方法。
【請求項７】
前記少なくとも１つのパラメータは、前記第２の周波数帯域のチャネルラスタであることを特徴とする請求項１乃至５のいずれか１項に記載の方法。
【請求項８】
前記チャネル番号は、絶対無線周波数チャネル番号（ＡＲＦＣＮ）、ユニバーサル地上無線アクセスＡＲＦＣＮ、または進化型ユニバーサル地上無線アクセスＡＲＦＣＮであることを特徴とする請求項６に記載の方法。
【請求項９】
前記ネットワークノードは、進化型ユニバーサル地上無線アクセスネットワーク（Ｅ−ＵＴＲＡＮ）システムに含まれる、コアネットワークノードまたは基地局であることを特徴とする請求項１乃至８のいずれか１項に記載の方法。
【請求項１０】
前記ネットワークノードは、ユニバーサル地上無線アクセスネットワーク（ＵＴＲＡＮ）システムに含まれる、コアネットワークノード、基地局または無線ネットワーク制御装置であることを特徴とする請求項１乃至８のいずれか１項に記載の方法。
【請求項１１】
第１の周波数帯域をサポートしているユーザ装置（700）と通信する、セルラ通信システムに含まれるネットワークノード（800）における方法であって、
前記ネットワークノードは、第２の周波数帯域で動作し、前記第２の周波数帯域は、前記第１の周波数帯域のサブバンドであるか、または前記第１の周波数帯域と重なっており、前記方法は、
前記第２の周波数帯域のチャネル番号に関連する少なくとも１つのパラメータの取得時に、前記第２の周波数帯域に関連するチャネルナンバリング方式を認識する機能を前記ユーザ装置が有するという情報を、前記ユーザ装置から受信するステップ（40）であって、前記少なくとも１つのパラメータの取得前には前記第２の周波数帯域及び前記第２の周波数帯域に関連するチャネルナンバリング方式を前記ユーザ装置が識別できない、前記ステップと、
前記第２の周波数帯域が前記ネットワークノードで使用されているかを判定するステップ（41）と、を含み、
前記第２の周波数帯域が使用されていると、前記方法は、
前記第２の周波数帯域の前記チャネル番号に関連する前記少なくとも１つのパラメータを前記ユーザ装置に送信するステップ（42）と、
前記チャネルナンバリング方式を使用して前記第２の周波数帯域で前記ユーザ装置と通信するステップ（46）と
を更に含むことを特徴とする方法。
【請求項１２】
第１の周波数帯域をサポートしているユーザ装置（700）と通信する、セルラ通信システムに含まれるネットワークノード（800）における方法であって、
前記ネットワークノードは、第２の周波数帯域で動作し、前記第２の周波数帯域は、前記第１の周波数帯域のサブバンドであるか、または前記第１の周波数帯域と重なっており、前記第２の周波数帯域及び前記第２の周波数帯域に関連するチャネルナンバリング方式を前記ユーザ装置が識別できず、前記方法は、
前記ユーザ装置が前記第１の周波数帯域をサポートしていることを前記ネットワークノードに知らせる、前記ユーザ装置が第１の周波数帯域機能を有しているという報告を、前記ユーザ装置から受信するステップ（53）と、
受信した前記第１の周波数帯域機能に基づいて、前記第２の周波数帯域のチャネル番号に関連する少なくとも１つのパラメータを、前記ユーザ装置に送信することによって、前記第２の周波数帯域及び前記第２の周波数帯域に関連するチャネルナンバリング方式の前記ユーザ装置による識別を可能にするステップ（54）と、
前記チャネルナンバリング方式を使用して前記第２の周波数帯域で前記ユーザ装置と通信するステップ（58）と
を含むことを特徴とする方法。
【請求項１３】
前記第１の周波数帯域は、調和された帯域であり、前記第２の周波数帯域は、個別の周波数帯域であることを特徴とする請求項１１または１２に記載の方法。
【請求項１４】
前記少なくとも１つのパラメータは、前記第２の周波数帯域の前記チャネル番号であることを特徴とする請求項１１乃至１３のいずれか１項に記載の方法。
【請求項１５】
前記少なくとも１つのパラメータは、前記第２の周波数帯域のチャネルラスタであることを特徴とする請求項１１乃至１３のいずれか１項に記載の方法。
【請求項１６】
前記チャネル番号は、絶対無線周波数チャネル番号（ＡＲＦＣＮ）、ユニバーサル地上無線アクセスＡＲＦＣＮ、または進化型ユニバーサル地上無線アクセスＡＲＦＣＮであることを特徴とする請求項１４に記載の方法。
【請求項１７】
前記ネットワークノードは、進化型ユニバーサル地上無線アクセスネットワーク（Ｅ−ＵＴＲＡＮ）システムに含まれる、コアネットワークノードまたは基地局であることを特徴とする請求項１１乃至１６のいずれか１項に記載の方法。
【請求項１８】
前記ネットワークノードは、ユニバーサル地上無線アクセスネットワーク（ＵＴＲＡＮ）システムに含まれる、コアネットワークノード、基地局または無線ネットワーク制御装置であることを特徴とする請求項１１乃至１６のいずれか１項に記載の方法。
【請求項１９】
セルラ通信システムに含まれるネットワークノード（800）と通信するとともに、第１の周波数帯域をサポートしているユーザ装置（700）であって、
前記ネットワークノードは、第２の周波数帯域で動作し、前記第２の周波数帯域は、前記第１の周波数帯域のサブバンドであるか、または前記第１の周波数帯域と重なっており、前記ユーザ装置（700）は、
前記第２の周波数帯域のチャネル番号に関連する少なくとも１つのパラメータを取得するプロセッサ（701）を備え、
前記プロセッサ（701）は、更に、前記第２の周波数帯域及び前記第２の周波数帯域に関連するチャネルナンバリング方式の識別を、前記少なくとも１つのパラメータの取得時にのみ可能にする、前記ユーザ装置におけるルールのセットに従って、
前記取得された少なくとも１つのパラメータに対応する前記第２の周波数帯域を判定し、
前記第２の周波数帯域に関連する前記チャネルナンバリング方式を実装することによって、前記チャネルナンバリング方式を前記ユーザ装置が使用できるようにし、
前記ユーザ装置（700）は、前記チャネルナンバリング方式を使用して前記第２の周波数帯域で前記ネットワークノード（800）と通信する送受信機（703）を更に備える
ことを特徴とするユーザ装置。
【請求項２０】
前記第２の周波数帯域に関連する前記少なくとも１つのパラメータは、前記ユーザ装置（700）において予め定められていることを特徴とする請求項１９に記載のユーザ装置。
【請求項２１】
前記送受信機（703）は、更に、
前記第２の周波数帯域に関連する前記チャネルナンバリング方式を認識する機能を前記ユーザ装置（700）が有することを、前記ネットワークノード（800）に知らせるとともに、
前記ネットワークノード（800）から、前記第２の周波数帯域の前記チャネル番号に関連する前記少なくとも１つのパラメータを受信する
ことを特徴とする請求項１９に記載のユーザ装置。
【請求項２２】
前記プロセッサ（701）は、更に、前記ネットワークノード（800）が前記第１の周波数帯域で動作するかを判定し、
前記送受信機（703）は、更に、
前記ユーザ装置（700）が第１の周波数帯域機能を有することを前記ネットワークノード（800）に報告するとともに、
前記第２の周波数帯域の前記チャネル番号に関連する前記少なくとも１つのパラメータを前記ネットワークノード（800）から受信する
ことを特徴とする請求項１９に記載のユーザ装置。
【請求項２３】
前記第１の周波数帯域は、調和された帯域であり、前記第２の周波数帯域は、個別の周波数帯域であることを特徴とする請求項１９乃至２２のいずれか１項に記載のユーザ装置。
【請求項２４】
前記少なくとも１つのパラメータは、前記第２の周波数帯域の前記チャネル番号であることを特徴とする請求項１９乃至２３のいずれか１項に記載のユーザ装置。
【請求項２５】
前記少なくとも１つのパラメータは、前記第２の周波数帯域のチャネルラスタであることを特徴とする請求項１９乃至２３のいずれか１項に記載のユーザ装置。
【請求項２６】
前記チャネル番号は、絶対無線周波数チャネル番号（ＡＲＦＣＮ）、ユニバーサル地上無線アクセスＡＲＦＣＮ、または進化型ユニバーサル地上無線アクセスＡＲＦＣＮであることを特徴とする請求項２４に記載のユーザ装置。
【請求項２７】
前記ネットワークノード（800）は、進化型ユニバーサル地上無線アクセスネットワーク（Ｅ−ＵＴＲＡＮ）システムに含まれる、コアネットワークノードまたは基地局であることを特徴とする請求項１９乃至２６のいずれか１項に記載のユーザ装置。
【請求項２８】
前記ネットワークノード（800）は、ユニバーサル地上無線アクセスネットワーク（ＵＴＲＡＮ）システムに含まれる、コアネットワークノード、基地局または無線ネットワーク制御装置であることを特徴とする請求項１９乃至２６のいずれか１項に記載のユーザ装置。
【請求項２９】
セルラ通信システムにおいて使用される、第１の周波数帯域をサポートしているユーザ装置（700）と通信するネットワークノード（800）であって、
前記ネットワークノードは、第２の周波数帯域で動作し、前記第２の周波数帯域は、前記第１の周波数帯域のサブバンドであるか、または前記第１の周波数帯域と重なっており、前記ネットワークノード（800）は、
前記第２の周波数帯域のチャネル番号に関連する少なくとも１つのパラメータの取得時に、前記第２の周波数帯域に関連するチャネルナンバリング方式を認識する機能を前記ユーザ装置が有するという情報を、前記ユーザ装置（700）から受信する送受信機（803）であって、前記少なくとも１つのパラメータの取得前には前記第２の周波数帯域及び前記第２の周波数帯域に関連するチャネルナンバリング方式を前記ユーザ装置が識別できない、前記送受信機と、
前記第２の周波数帯域が前記ネットワークノード（800）で使用されているかを判定するプロセッサ（801）と、を備え、
前記第２の周波数帯域が前記ネットワークノード（800）で使用されていると、前記送受信機（803）は、更に、
前記第２の周波数帯域の前記チャネル番号に関連する前記少なくとも１つのパラメータを前記ユーザ装置（700）に送信するとともに、
前記チャネルナンバリング方式を使用して前記第２の周波数帯域で前記ユーザ装置（700）と通信する
ことを特徴とするネットワークノード。
【請求項３０】
セルラ通信システムにおいて使用される、第１の周波数帯域をサポートしているユーザ装置（700）と通信するネットワークノード（800）であって、
前記ネットワークノードは、１つの第２の周波数帯域で動作し、前記第２の周波数帯域は、前記第１の周波数帯域のサブバンドであるか、または前記第１の周波数帯域と重なっており、前記第２の周波数帯域及び前記第２の周波数帯域に関連するチャネルナンバリング方式を前記ユーザ装置が識別できず、前記ネットワークノード（800）は、
送受信機（803）であって、
前記ユーザ装置が第１の周波数帯域をサポートしていることを前記ネットワークノードに知らせる、前記ユーザ装置が第１の周波数帯域機能を有しているという報告を、前記ユーザ装置（700）から受信し、
受信した前記第１の周波数帯域機能に基づいて、前記第２の周波数帯域のチャネル番号に関連する少なくとも１つのパラメータを、前記ユーザ装置（700）に送信することによって、前記第２の周波数帯域及び前記第２の周波数帯域に関連するチャネルナンバリング方式の前記ユーザ装置による識別を可能にし、
前記チャネルナンバリング方式を使用して前記第２の周波数帯域で前記ユーザ装置（700）と通信する
前記送受信機（803）を備えることを特徴とするネットワークノード。
【請求項３１】
前記第１の周波数帯域は、調和された帯域であり、前記第２の周波数帯域は、個別の周波数帯域であることを特徴とする請求項２９または３０に記載のネットワークノード。
【請求項３２】
前記少なくとも１つのパラメータは、前記第２の周波数帯域の前記チャネル番号であることを特徴とする請求項２９乃至３１のいずれか１項に記載のネットワークノード。
【請求項３３】
前記少なくとも１つのパラメータは、前記第２の周波数帯域のチャネルラスタであることを特徴とする請求項２９乃至３１のいずれか１項に記載のネットワークノード。
【請求項３４】
前記チャネル番号は、絶対無線周波数チャネル番号（ＡＲＦＣＮ）、ユニバーサル地上無線アクセスＡＲＦＣＮ、または進化型ユニバーサル地上無線アクセスＡＲＦＣＮであることを特徴とする請求項３２に記載のネットワークノード。
【請求項３５】
前記ネットワークノード（800）は、進化型ユニバーサル地上無線アクセスネットワーク（Ｅ−ＵＴＲＡＮ）システムに含まれる、コアネットワークノードまたは基地局であることを特徴とする請求項２９乃至３４のいずれか１項に記載のネットワークノード。
【請求項３６】
前記ネットワークノード（800）は、ユニバーサル地上無線アクセスネットワーク（ＵＴＲＡＮ）システムに含まれる、コアネットワークノード、基地局または無線ネットワーク制御装置であることを特徴とする請求項２９乃至３４のいずれか１項に記載のネットワークノード。
【発明の詳細な説明】
【技術分野】
【０００１】
本開示は、セルラ通信システムにおける方法及び装置に関するものである。具体的には、第１周波数帯域をサポートしているユーザ装置と、第２周波数帯域を利用しているネットワークとの間の通信を処理する方法及び装置を開示する。
【背景技術】
【０００２】
周波数帯域または動作周波数帯域では、特定の複信モードの運用をサポートしうる。可能性のある複信モードの例は、周波数分割複信（ＦＤＤ）、時分割複信（ＦＤＤ）、及び半二重ＦＤＤ（ＨＤ−ＦＤＤ）である。
【０００３】
ユニバーサル地上無線アクセスネットワーク（ＵＴＲＡＮ）ＦＤＤ及び進化型ユニバーサル地上無線アクセスネットワーク（Ｅ−ＵＴＲＡＮ）ＦＤＤで使用されている、周波数分割複信（ＦＤＤ）モードの動作では、上りリンク送信と下りリンク送信とが、異なる搬送波周波数チャネルで行われる。したがって、ＦＤＤモードでは、上りリンク送信と下りリンク送信との両方が、時間的に同時に生じうる。他方では、ＵＴＲＡＮ ＴＤＤ及びＥ−ＵＴＲＡＮ ＴＤＤで使用されている時間分割複信（ＴＤＤ）モードでは、上りリンク送信と下りリンク送信とが、同一の搬送波周波数ではあるが異なる時間スロットまたはサブフレームで生じる。グローバル・システム・フォー・モバイル・コミュニケーションズ（ＧＳＭ（登録商標））で使用されている半二重ＦＤＤ（ＨＤ−ＦＤＤ）は、上りリンクと下りリンクとが、異なる搬送波周波数で送信され、更に、異なる時間スロットで送信される、ハイブリッド方式と考えることができる。このことは、上りリンク送信と下りリンク送信とが時間的に同時には生じないことを意味する。
【０００４】
第３世代パートナシップ・プロジェクト（３ＧＰＰ）における次世代移動通信システムの標準化の主要な目的の１つは、全世界的に、または少なくとも大部分の国において好んで使用されうる周波数帯域を発展させることである。世界的な帯域または局地的な帯域は、グローバルローミング、スケールメリットに起因した生産コストの低減、同一または少なくとも限定されたプラットフォーム／装置を、全世界的にまたは局地的に再利用できることによる製品／装置の製造の簡易性等の観点で、様々な利点につながる。しかし、モバイルサービスにおけるスペクトルの使用可能性が、種々の国において、及び国の範囲においてでさえ、断片化されうるという事実に起因して、特定の国固有の周波数帯域は不可避であり、また、オペレータ固有の周波数帯域でさえも不可避である。更に、各国の調整者は、利用可能なスペクトルに従って周波数帯域を独立に割り当てる。また、１ＧＨｚ以下のスペクトルは、非常に有望な伝搬特性に起因して、他の競合技術による高い需要によって不足しうるか、断片化されうる。このため、世界の異なる地域で割り当てられる同一の周波数範囲でさえ、複数のより狭い周波数帯域が存在しうる。これらの地域固有の帯域またはオペレータ固有の帯域は、部分的に重なりうるか、周波数で隣接しうる。割り当てられたスペクトルは、ベンダが、基地局及びユーザ装置等の製品を開発できるような周波数帯域の観点で、最終的には３ＧＰＰで標準化される。周波数帯域の標準化は、帯域のナンバリング、ラスタ、搬送波周波数チャネルのナンバリング、ユーザ装置及び基地局の無線要求条件、ユーザ装置及び基地局の性能要求条件、無線リソース管理（ＲＲＭ）要求条件等を含む、様々な側面を包含する。
【０００５】
例えば、様々な帯域（バンド）が、ＵＴＲＡＮ ＦＤＤ及びＥ−ＵＴＲＡＮ ＦＤＤ用の８００ＭＨｚの範囲で、世界の様々な地域においていくつかの帯域が標準化されて割り当てられている（例えば、バンド５、６、１８及び１９）。図１ａ〜１ｄには、８００ＭＨｚの範囲内の個別の周波数帯域のいくつかを示している。アメリカ、オーストラリア及びアジアの数ヶ国で使用されている、図１ａに示すバンド５では、８２４〜８４９ＭＨｚ １０ａが上りリンク用に割り当てられ、８６９〜８９４ＭＨｚが下りリンク用に割り当てられている。日本で使用されている、図１ｂに示すバンド６では、８３０〜８４０ＭＨｚ １０ｂが上りリンク用に割り当てられ、８７５〜８８５Ｍｈｚ １１ｂが下りリンク用に割り当てられている。日本で同様に使用されており、オペレータ固有の、図１ｃに示すバンド１８では、８１５〜８３０ＭＨｚ １０ｃが上りリンク用に割り当てられ、８６０〜８７５ＭＨｚ １１ｃが下りリンク用に割り当てられている。日本で同様に使用されており、オペレータ固有の、図１ｄに示すバンド１９では、８３０〜８４５ＭＨｚ １１ｄが上りリンク用に割り当てられ、８７５〜８９０Ｍｈｚ １１ｄが下りリンク用に割り当てられている。
【０００６】
これらの帯域は重なっているかまたは隣接していることが、図１ａ〜１ｄから観察できる。第２に、それらの大部分が、国固有であるか、オペレータ固有でさえもある。したがって、３ＧＰＰにおいて、８００ＭＨｚ範囲における１つまたは２つの調和された（harmonized）周波数帯域を発展させるための、広範囲にわたる尽力がなされており、これは、当該周波数範囲内の帯域の全てまたは大部分をカバーしうる。
【０００７】
「調和された帯域（harmonized band）」という用語は、上位セット（super-set）であるという事実、または、周波数範囲において２つ以上の、より狭い若しくは個別の周波数帯域をカバーするというという事実から生じる。図２ａ及び２ｄには、８００ＭＨｚ範囲における、可能性のある調和された帯域の例を示している。３ＧＰＰにおいて現在検討されている、図２に示す調和された帯域の例では、８１４〜８４０ＭＨｚ ２０ａが上りリンク用に割り当てられ、８５９〜８９４ＭＨｚ ２１ａが下りリンク用に割り当てられている。３ＧＰＰにおいて現在検討されている、図２ｂに示す調和された帯域の別の例では、８０６〜８４９ＭＨｚ ２０ｂが上りリンク用に割り当てられ、８５９〜８９４ＭＨｚ ２１ｂが下りリンク用に割り当てられている。図２ａ及び２ｂにおける調和された帯域は、図１ａ〜１ｄに示す全ての周波数帯域をカバーしている。
【０００８】
調和された帯域をサポートする機能があるユーザ装置／端末は、これらの固有のまたは個別の帯域のうちのいくつかで動作できることが必要である。これにより、その範囲（例えば８００ＭＨｚ）における個別の帯域のための固有のハードウェアが必要なくなるため、ユーザ装置のコストの低減につながる。更に、同一の周波数範囲のスペクトルを保有する全てのオペレータが、ネットワークの運用を容易にする、十分な端末を簡単に得ることが可能になるであろう。調和された帯域をサポートする端末は、更に、レガシー帯域（legacy bands）で動作するために当該レガシー帯域における調整要求条件に準拠しなければならない。
【０００９】
周波数帯域の調和（harmonization）は、（例えば１９００ＭＨｚ範囲における）２つ以上の、より狭い帯域または断片化された帯域を含む、あらゆる周波数範囲で可能である。調和のために検討されている別の周波数範囲は、７００ＭＨｚであり、当該周波数範囲は、現在、いくつかのより狭いオペレータ固有の帯域に断片化されている。
【００１０】
周波数サーチ、またはいわゆる初期セルサーチを簡略化するために、無線チャネルの中心周波数は、チャネルラスタ（channel raster）と称される、明確な数、一般には定数の、整数倍に規定される。これにより、ユーザ装置が、サーチされるチャネルの中心周波数であると想定されるラスタポイントの１つのみに局部発振器を合わせることが可能になる。
【００１１】
ＵＴＲＡＮ ＦＤＤのチャネルラスタは２００ＫＨｚであるが、特定のチャネル及び帯域については、１００ＫＨｚでもある。Ｅ−ＵＴＲＡＮ ＦＤＤ及びＴＤＤでは、全てのチャネル（即ち、全ての帯域幅）についてのチャネルラスタは１００ＫＨｚである。チャネルラスタは、以下で説明するチャネルナンバリングに直接に影響を与える。
【００１２】
周波数帯域内の搬送波周波数は、番号付けされる（enumerated）。当該番号付けは、周波数帯域と搬送波周波数との組み合わせが、絶対無線周波数番号と称される固有の数で判定可能なように、標準化される。ＧＳＭ（登録商標）、ＵＴＲＡＮ及びＥ−ＵＴＲＡＮでは、チャネル番号はそれぞれ、絶対無線周波数チャネル番号（ＡＲＦＣＮ：Absolute Radio Frequency Channel Number）、ＵＴＲＡ絶対無線周波数チャネル番号（ＵＡＲＦＣＮ）、及びＥ−ＵＴＲＡ絶対無線周波数チャネル番号（ＥＡＲＦＣＮ）と称される。
【００１３】
ＦＤＤシステムでは、別々のチャネル番号が、上りリンク（ＵＬ）用と下りリンク（ＤＬ）用とに規定されている。ＴＤＤでは、両方向で同一の周波数が使用されるため、１つのチャネル番号のみが存在する。
【００１４】
異なる帯域間で区別するために、各帯域のチャネル番号（例えば、ＥＡＲＦＣＮ）は一意である。各帯域のチャネル番号は、関連する仕様に定義された式及びマッピングテーブルから導出できる。シグナリングされるチャネル番号（例えば、Ｅ−ＵＴＲＡＮにおけるＥＡＲＦＣＮ）と、各帯域に関連する予め定義されたパラメータとに基づいて、ユーザ装置は、実際のＭＨｚ単位の搬送波周波数と、対応する周波数帯域とを判定できる。これを以下の例で説明する。
【００１５】
例えば、ＥＡＲＣＮと、下りリンク用のＭＨｚ単位の搬送波周波数ＦDLとの関係が、次式によって予め定義される。
ＦDL＝ＦDL_low＋０．１（ＮDL−ＮOffs-DL）
ここで、ＦDL_low及びＮOffs-DLは、各帯域に対して予め定義された値であり、ＮDLは、下りリンクＥＡＲＦＣＮである。
【００１６】
ＥＡＲＣＮ範囲ＮDLが２４００〜２６４９ＭＨｚにわたる、Ｅ−ＵＴＲＡＮのバンド５について検討する。予め定義された値ＦDL_low及びＮOffs-DLは、それぞれ８６９ＭＨｚ及び２４００ＭＨｚである。下りリンクＥＡＲＦＣＮが２５００ＭＨｚであることをネットワークがシグナリングするものとする。上記の式を用いることで、ユーザ装置は、チャネルの下りリンク搬送波周波数が８７９ＭＨｚであると判定できる。更に、上述のように、予め定義されたＥＡＲＦＣＮ範囲は、各バンドに対して固有である。このため、ユーザ装置は、シグナリングされたＥＡＲＦＣＮに対応する周波数帯域を判定できる。Ｅ−ＵＴＲＡＮ ＦＤＤの上りリンク搬送波周波数を導出するための式は、下りリンク搬送波周波数の式と同様であり、同様に予め定義される。Ｅ−ＵＴＲＡＮ ＦＤＤでは、固定された送受信周波数分離（即ち、固定された複信）と、可変の送受信周波数分離（即ち可変の複信）とがサポートされている。固定の送受信周波数分離がネットワークによって使用されている場合、当該ネットワークは、上りリンクＥＡＲＦＣＮをシグナリングする必要はない。これは、下りリンク搬送波周波数と、予め定義された複信ギャップとから、ユーザ装置が上りリンク搬送波周波数を判定できるためである。ある帯域について可変の複信がネットワークによって用いられている場合、下りリンクＥＡＲＦＣＮ及び上りリンクＥＡＲＦＣＮの両方をシグナリングしなければならない。
【００１７】
初期セルサーチにおいて、またはより具体的には初期搬送波周波数サーチにおいて、ユーザ装置は、可能性のある全てのラスタ周波数を、例えば、Ｅ−ＵＴＲＡＮの周波数帯域において１００ＫＨｚの分解能で、サーチしなければならない。しかし、セルにキャンプ・オンしているか、当該セルに接続されているユーザ装置に対して、ネットワークは、測定の実行のため、セルの再選択等の移動性の決定のため、または、同一のまたは異なる無線アクセス技術（ＲＡＴ：radio access technology）の特定の周波数チャネルに属している特定のセルへのハンドオーバの命令のために、（複数の）絶対無線周波数チャネル番号をシグナリングする。このため、ユーザ装置は、アイドルモードでセルにキャンプ・オンした後、または接続モードでセルに接続された際に、（複数の）絶対無線周波数チャネル番号を含む、セル固有のまたはユーザ装置固有のシステム情報を、取得できる。
【００１８】
ネットワークは、別の搬送波周波数で動作しているセルへのハンドオーバ（即ち、周波数間ハンドオーバ）、または、別のＲＡＴに属するセルへのハンドオーバ（即ち、ＲＡＴ間ハンドオーバ）を実行するよう、ユーザ装置に要求できる。周波数間ハンドオーバまたはＲＡＴ間ハンドオーバは、サービングセルの周波数帯域に属している可能性があるか、あるいは属していない可能性のある搬送波周波数で、セルに対して実行される。両方のハンドオーバ・シナリオにおいて、サービングセル及びターゲットセルの搬送波周波数は、異なっている。したがって、周波数間ハンドオーバ及びＲＡＴ間ハンドオーバをＵＥが実行するのを支援するために、ネットワークは、ターゲット搬送波周波数の周波数チャネル番号を、ハンドオーバ・コマンドでシグナリングする。
【００１９】
最新のソリューションによれば、１つ以上のより狭い個別のレガシー周波数帯域と重なっている、調和された周波数帯域をサポートするユーザ装置は、ＨBと表記される調和された帯域に関連する、搬送波周波数チャネル番号及び他の関連情報を実装する。
【００２０】
これまでのＵＴＲＡＮ ＦＤＤ及びＥ−ＵＴＲＡＮ ＦＤＤでは、日本で使用されているバンド６が、５ＭＨｚ拡大された。拡大された新たなＵＴＲＡＮ ＦＤＤ及びＥ−ＵＴＲＡＮ ＦＤＤバンド６は、ＵＴＲＡＮ ＦＤＤ及びＥ−ＵＴＲＡＮ ＦＤＤバンド１９と称される。このため、バンド１９は、バンド６の上位セットであり、バンド６に対する調和された帯域と考えることができる。バンド１９全体は、国固有である。したがって、バンド６は適用不可能であることが規定されている。このことは、ネットワークがバンド１９のみを実装することを意味している。バンド６／１９のために使用される、このソリューションは、いくつかの国のいくつかの個別の帯域と重なっている調和された帯域に対しては実行不可能であり、個別の帯域は、２以上のオペレータによって保有される可能性もある。このため、個別の帯域を使用する全てのオペレータが、レガシー・ネットワークを、新たな調和された帯域に改める可能性は低い。
【００２１】
例えば８００ＭＨｚ範囲における、調和された帯域と重なっている個別の複数の帯域が、世界の様々な地域で存在することになる。これは、世界の異なる地域における周波数割り当てが異なる可能性があるためであり、それ故に、世界の異なる地域における全てのネットワークが、新たな調和された帯域を実装する可能性は低い。しかし、調和された帯域をサポートする機能を有するいくつものユーザ装置が存在することになる。これによりコストが低減されるとともに、個別の帯域ごとに別々のハードウェアが実装されたユーザ装置の必要性が避けられるためである。しかし、調和された帯域をサポートするユーザ装置は、より狭いレガシー帯域についての関連情報を認識することはできない。更に、将来のより狭い個別の帯域ＳBを使用するネットワークに立ち入る、調和された帯域ＨBをサポートする機能を有するユーザ装置が、将来のより狭い個別の帯域についての関連情報を認識することはできない。
【発明の概要】
【００２２】
本発明の目的は、以上概説した課題及び不都合のいくつかを解決すること、及び、第１の周波数帯域のサブセットであるか、または第１の周波数帯域と重なっている第２の周波数帯域を利用しているネットワークと、第１の周波数帯域をサポートしているユーザ装置が通信することを可能にする方法及び装置を提供することである。
【００２３】
上述の目的は、独立形式の請求項に係る方法及び装置を用いて達成されるとともに、従属形式の請求項に係る実施形態によって達成される。
【００２４】
実施形態の第１の態様によれば、セルラ通信システムに含まれるネットワークノードと通信するユーザ装置における方法が提供される。ユーザ装置は、第１の周波数帯域をサポートしている。本方法は、少なくとも１つの第２の周波数帯域に関連する少なくとも１つのパラメータを取得するステップを含む。本方法は、前記取得された少なくとも１つのパラメータに対応する前記少なくとも１つの第２の周波数帯域を判定するステップを更に含み、前記少なくとも１つの第２の周波数帯域は、前記第１の周波数帯域のサブバンドであるか、または前記第１の周波数帯域と重なっている。本方法は、前記少なくとも１つの第２の周波数帯域に関連するチャネルナンバリング方式を実装するステップを含む。また、本方法は、前記少なくとも１つの第２の周波数帯域で前記ネットワークノードと通信するステップを含む。
【００２５】
実施形態の第２の態様によれば、セルラ通信システムに含まれるネットワークノード外提供される。ネットワークノードは、第１の周波数帯域をサポートしているユーザ装置と通信する。本方法は、少なくとも１つの第２の周波数帯域に関連するチャネルナンバリング方式を前記ユーザ装置が認識できるという情報を、前記ユーザ装置から受信するステップを含む。前記少なくとも１つの第２の周波数帯域は、前記第１の周波数帯域のサブバンドであるか、または前記第１の周波数帯域と重なっている。本方法は、前記少なくとも１つの第２の周波数帯域が前記ネットワークノードで使用されているかを判定するステップを含む。前記少なくとも１つの第２の周波数帯域が使用されていると、本方法は、前記少なくとも１つの第２の周波数帯域に関連する少なくとも１つのパラメータを前記ユーザ装置に送信するステップを更に含む。本方法は、前記少なくとも１つの第２の周波数帯域で前記ユーザ装置と通信するステップを更に含む。
【００２６】
実施形態の第３の態様によれば、セルラ通信システムに含まれるネットワークノード外提供される。ネットワークノードは、ユーザ装置と通信し、ユーザ装置は、第１の周波数帯域をサポートしている。本方法は、前記ユーザ装置が第１の周波数帯域の機能を有しているという報告を、前記ユーザ装置から受信するステップを含む。本方法は、少なくとも１つの第２の周波数帯域に関連する少なくとも１つのパラメータを、前記ユーザ装置に送信するステップを更に含み、前記少なくとも１つの第２の周波数帯域は、前記第１の周波数帯域のサブバンドであるか、または前記第１の周波数帯域と重なっている。また、本方法は、前記少なくとも１つの第２の周波数帯域で前記ユーザ装置と通信するステップを含む。
【００２７】
実施形態の第４の態様によれば、セルラ通信システムに含まれるネットワークノード外提供される。セルラ通信システムに含まれるネットワークノードと通信するとともに、第１の周波数帯域をサポートしているユーザ装置が提供される。ユーザ装置は、少なくとも１つの第２の周波数帯域に関連する少なくとも１つのパラメータを取得するプロセッサを備える。プロセッサは、更に、前記取得された少なくとも１つのパラメータに対応する前記少なくとも１つの第２の周波数帯域を判定する。前記少なくとも１つの第２の周波数帯域は、前記第１の周波数帯域のサブバンドであるか、または前記第１の周波数帯域と重なっている。また、プロセッサは、前記少なくとも１つの第２の周波数帯域に関連するチャネルナンバリング方式を実装する。ユーザ装置は、前記少なくとも１つの第２の周波数帯域で前記ネットワークノードと通信する送受信機を更に備える。
【００２８】
実施形態の第５の態様によれば、セルラ通信システムにおいて使用されるとともに、ユーザ装置と通信するネットワークノードが提供される。ユーザ装置は、第１の周波数帯域をサポートしている。ネットワークノードは、少なくとも１つの第２の周波数帯域に関連するチャネルナンバリング方式を前記ユーザ装置が認識できるという情報を、前記ユーザ装置から受信する送受信機を備える。前記少なくとも１つの第２の周波数帯域は、前記第１の周波数帯域のサブバンドであるか、または前記第１の周波数帯域と重なっている。ネットワークノードは、前記少なくとも１つの第２の周波数帯域が前記ネットワークノードで使用されているかを判定するプロセッサを更に備える。前記少なくとも１つの第２の周波数帯域が使用されていると、前記送受信機は、更に、前記少なくとも１つの第２の周波数帯域に関連する少なくとも１つのパラメータを前記ユーザ装置に送信する。また、送受信機は、前記少なくとも１つの第２の周波数帯域で前記ユーザ装置と通信する。
【００２９】
実施形態の第６の態様によれば、セルラ通信システムにおいて使用されるとともに、ユーザ装置と通信するネットワークノードが提供される。ユーザ装置は、第１の周波数帯域をサポートしている。ネットワークノードは、前記ユーザ装置が第１の周波数帯域の機能を有しているという報告を、前記ユーザ装置から受信する送受信機を備える。送受信機は、更に、少なくとも１つの第２の周波数帯域に関連する少なくとも１つのパラメータを、前記ユーザ装置に送信し、前記少なくとも１つの第２の周波数帯域は、前記第１の周波数帯域のサブバンドであるか、または前記第１の周波数帯域と重なっている。また、送受信機は、前記少なくとも１つの第２の周波数帯域で前記ユーザ装置と通信する。
【００３０】
特定の実施形態の利点は、調和された帯域をサポートしているユーザ装置を、より狭い帯域であって、かつ、当該調和された帯域と重なっているか、または当該調和された帯域のサブバンドである帯域で動作しているネットワークにおいて動作可能にする、上述した目的に対するソリューションを提供することである。
【００３１】
特定の実施形態の別の利点は、調和された帯域をサポートしているユーザ装置が、当該調和された帯域のサブセットであるレガシー帯域にローミングできることである。
【００３２】
特定の実施形態の更なる利点は、調和された帯域をサポートしているユーザ装置が、将来導入される調和された帯域のサブセットである帯域にローミングできるか、当該帯域で動作できるか、またはその両方を実行できることである。
【００３３】
実施形態の更なる利点及び特徴は、図面とともに以下の詳細な説明を読んだ場合に明らかになる。
【図面の簡単な説明】
【００３４】
より良い理解のために、以下の図面及び好適な実施形態を参照する。
【００３５】
【図１ａ】、
【図１ｂ】、
【図１ｃ】、
【図１ｄ】８００ＭＨｚ範囲のいくつかの個別の周波数帯域を示す図。
【図２ａ】、
【図２ｂ】８００ＭＨｚ範囲の可能性のある調和された帯域の例を示す図。
【図３】例示的な一実施形態の方法を示すシグナリング図。
【図４】更なる例示的な一実施形態の方法を示すシグナリング図。
【図５】別の更なる例示的な一実施形態の方法を示すシグナリング図。
【図６】実施形態が実装されうる、ＬＴＥネットワーク等の従来のセルラ通信システムを概略的に示す図。
【図７】実施形態に係るユーザ装置を概略的に示す図。
【図８】実施形態に係るネットワークノードを概略的に示す図。
【発明を実施するための形態】
【００３６】
以下の説明では、説明を目的として、限定を目的とすることなく、実施形態の深い理解をもたらすために、特定のステップの系列、特定の装置構成等の、具体的な詳細について説明する。当該実施形態はこれらの具体的な詳細から逸脱した他の実施形態でも実施されうることが、当業者には明らかになる。図面では、同様の参照符号は同様の要素を参照する。
【００３７】
更に、本明細書において以下で説明する手段及び機能が、プログラムされたマイクロプロセッサまたは汎用コンピュータとともに機能するソフトウェアを使用して、特定用途向け集積回路（ＡＳＩＣ）を使用して、またはその両方によって、実装されうることを、当業者は理解することになる。本開示の実施形態は、方法及び装置の形式で主として説明されているものの、当該実施形態が、コンピュータプロセッサと、当該プロセッサに接続され、本明細書で開示する機能を実行しうる１つ以上のプログラムを用いてエンコードされたメモリとを備えるシステムにおいて具体化または実装されるだけでなく、コンピュータプログラムでも具体化または実装されうることが、理解されることになる。
【００３８】
とりわけ、以下の開示は、調和された周波数帯域（即ち、第１の周波数帯域）のサブセットであるか、または当該調和された周波数帯域と重なっている、より狭い周波数帯域（即ち、第２の周波数帯域）において、当該調和された周波数帯域をサポートしているユーザ装置の動作及びローミングを可能にすることに関するものである。「調和された帯域」という用語は、当該帯域が上位セットであるか、または、当該帯域が、周波数範囲における２つ以上のより狭い若しくは個別の周波数帯域をカバーする、という事実に由来していることに留意されたい。当該個別の周波数帯域は、調和された周波数帯域のサブセットであるか、当該調和された周波数帯域と重なっており、例えば、当該調和された周波数帯域上に部分的に位置していてもよい。
【００３９】
上述のように、１つ以上のより狭い個別のレガシー周波数帯域と重なっている、調和された周波数帯域をサポートしているユーザ装置は、調和された帯域ＨBに関連する、搬送波周波数チャネル番号と他の関連情報とを実装する。調和された周波数帯域をサポートしているユーザ装置は、当該調和された周波数帯域での通信をサポートするハードウェアを備える。
【００４０】
これにより、より狭い個別の複数の帯域であって、調和された帯域ＨBと重なっているか、または部分的に重なっている、ＳBと表記される個別の複数の帯域のいずれかをサポートしているネットワークに、そのようなユーザ装置が立ち入る際に、以下のような結果がもたらされる。
・ユーザ装置は、セルサーチを実行し、セルを識別し、個別の帯域ＳBで動作している当該セルのシステム情報を読み取ることができる。しかしその場合にも、ＵＥは、当該セルで使用されている搬送波周波数チャネル番号を識別することができない。
・ユーザ装置は、当該セルで使用されている個別の周波数帯域ＳBを識別することができない。
・ユーザ装置が、調和された帯域ＨBを使用しているセルで動作している場合にも、当該ユーザ装置は、セルの再選択、またはより狭い個別の周波数帯域ＳBのいずれかに属する搬送波周波数へのまたはハンドオーバを実行することができない。
【００４１】
全体的な結果としては、調和された帯域ＨBをサポートする機能を有するユーザ装置は、当該調和された帯域ＨBと重なっている、より狭い個別の帯域ＳBで、適切に動作することができない。
【００４２】
このため、調和された帯域をサポートしているユーザ装置は、より狭いレガシー帯域の、搬送波周波数チャネル番号及び他の関連情報を認識することができない。
【００４３】
上記課題は、将来標準化されるより狭い個別の帯域ＳBを使用するネットワークに立ち入る、調和された帯域ＨBをサポートする機能を有するユーザ装置にとって、なおさら深刻である。本開示は、調和された周波数帯域ＨBをサポートしているユーザ装置（ＵＥ）が、調和された帯域と重なっている、より狭い個別の帯域で十分に動作できることを確実にするためのルールのセットを含む。実施形態では、調和された帯域をサポートするＵＥであって、当該調和された帯域と重なっている、少なくとも１つの個別の帯域のチャネルナンバリング方式を実際に実装するために、当該調和された帯域のチャネルナンバリング方式を実装できる、ＵＥを提案する。これにより、調和された帯域をサポートしているＵＥは、個別の帯域で動作しているセルにキャンプ・オンするか、若しくは当該セルに接続される際、または、個別の帯域についての関連情報がＵＥに提供される際に、当該個別の周波数帯域を認識することが可能になる。
【００４４】
例示的な一実施形態によれば、ＵＥは、調和された帯域ＨBをサポートするとともに、個別の複数のレガシー帯域ＳBのうちの少なくとも１つのナンバリング方式に関連する少なくとも１つのパラメータをサポートする。個別の帯域ＳBは、調和された帯域ＨBと重なっているか、または、当該帯域のサブセット若しくはサブバンドである。なお、本実施形態では、ＵＥに、個別の帯域ＳBのチャネルナンバリング方式のみを実装することを要求し、個別の帯域ＳBの無線要求条件を満たすことは要求しないことに留意されたい。実際、帯域の調和の目的は、ＵＥが、１つ以上の個別の帯域ＳBにおいて、それら個別の帯域を実装することなく（即ち、個別の複数の帯域に対応する別々のハードウェアを必要とすることなく）動作するために、１つの調和された広い帯域ＨBを実装しなければならない、ということである。
【００４５】
調和された帯域をサポートする機能を有するＵＥにおける方法は、
‐調和された帯域ＨBと重なっている、少なくとも１つの個別の帯域ＳBに関連する、少なくとも１つのパラメータ（例えば、Ｅ−ＵＴＲＡＮにおけるチャネル番号、ＥＡＲＦＣＮ）を取得するステップと、
‐当該取得された少なくとも１つのパラメータが、調和された帯域ＨBと重なっている個別の帯域ＳBと対応することを判定するステップと、
‐個別の帯域ＳBを判定するステップと、
を含む。
【００４６】
調和された帯域をサポートする機能を有するＵＥにおける方法は、更に、
‐ネットワークが個別の帯域ＳBで動作している際に、個別の帯域ＳBに関連する少なくとも１つのパラメータ（例えば、少なくとも１つのパラメータは、個別の周波数帯域ＳBのチャネル番号である）を使用して、当該ネットワークと通信するステップ、
を含む。
【００４７】
ネットワークは、複数のネットワークノードの任意のセットに対応する。ネットワークノードの例は、Ｅ−ＵＴＲＡＮにおける、コアネットワークノード（例えば、移動管理エンティティ（ＭＭＥ））、及びｅＮｏｄｅＢ基地局と、ＵＴＲＡＮにおける、コアネットワークノード（無線ネットワーク制御装置（ＲＮＣ））、及びＮｏｄｅＢ基地局である。
【００４８】
上述のように、取得した情報から（即ち、少なくとも１つの個別の帯域ＳBに関連する少なくとも１つのパラメータから）、個別のレガシー帯域を判定するために、ＵＥは、標準規格で規定された、個別の帯域に関連するチャネルナンバリング方式を実装しなければならない。
【００４９】
本方法は、調和された帯域ＨBをサポートしているＵＥが、個別の帯域ＳBを十分に認識することを可能にする。このため、個別のレガシー帯域ＳBで動作しているネットワークにおいてＵＥが動作する場合に、当該ＵＥは、個別の帯域ＳBのチャネルナンバリング方式を使用して透過的に通信及び動作することができる。
【００５０】
ＵＥは、典型的には、先行技術におけるネットワークに対して、当該ＵＥの帯域機能（band capability）を報告する。このため、ＵＥは、調和された帯域ＨBについての帯域機能を、ネットワークに対して知らせる。しかし、本実施形態におけるソリューションは、調和された帯域ＨBをサポートする機能を有するＵＥが、個別の帯域ＳBに対応するチャネルナンバリング方式を使用してネットワークと通信するという意味で、ネットワークに対して透過的である。このため、ネットワークからすると、ＵＥは、個別の帯域ＳBで動作していると判断される。
【００５１】
例示的な一実施形態によれば、調和された帯域ＨBをサポートする機能を有するＵＥは１つ以上の個別のレガシー帯域ＳBのチャネルナンバリング方式も実装しなければならない、というルールを標準規格で予め規定してもよい。例えば、調和された８００ＭＨｚ帯域をサポートしているＵＥは、チャネルナンバリング方式、例えば、バンド５、６、１８及び１９について、帯域（バンド）に関連するか、または帯域を定義する、ＥＡＲＦＣＮ、チャネルラスタ等の、全てのパラメータをサポートする、ということを予め定めてもよい。このため、ＵＥは、調和された帯域ＨBを当該ＵＥがサポートすることのみをネットワークに報告する。それ故に、レガシー・ネットワークは、ＵＥが、調和された帯域ＨBで動作している場合に、個別のレガシー帯域ＳBのチャネルナンバリング方式を使用することができる。
【００５２】
本実施形態は、現在レガシー・ネットワークに接続されている１つ以上のＵＥがサポートしている調和された帯域のサブセットである、個別の帯域ＳBの１つを使用することで、レガシー・ネットワークに影響を与えない（即ち、即ち、ネットワークを変更しない）。
【００５３】
別の例示的な実施形態によれば、ＵＥは、更に、調和された帯域ＨBを当該ＵＥがサポートしていること、及び、調和された帯域ＨBと重なっているか、または当該帯域のサブセットである、１つ以上の個別の帯域ＳBのチャネルナンバリング方式を、当該ＵＥが認識することも可能であることを示す機能情報のセットを、ネットワークに対して明示的にシグナリングする。
【００５４】
例えば、ＵＥは、調和された８００ＭＨｚ帯域を当該ＵＥがサポートしていることをネットワークに報告するとともに、更に、バンド５、６、１８及び１９について、これらのサブバンド独自のチャネルナンバリング方式を使用してこれらのサブバンドで動作できるように、当該チャネルナンバリング方式をサポートしていること、または認識することが可能であることを知らせる。このオプションでは、調和された帯域の機能を有する複数のＵＥ、即ち、１つ以上の個別のレガシー帯域または個別の帯域ＳBのチャネルナンバリング方式をサポートするか、または認識できる、調和された帯域の機能を有するいくつかのＵＥと、１つ以上の個別のレガシー帯域または個別の帯域ＳBのチャネルナンバリング方式をサポートしていないか、または認識できない、調和された帯域の機能を有するいくつかのＵＥと、が混在しうる。
【００５５】
ネットワークは、１つ以上の動作を行ってもよい。例えば、ネットワークは、当該ネットワークで使用されている個別の帯域または個別のレガシー帯域ＳBのチャネルナンバリング方式をサポートまたは認識する機能を有しないＵＥの動作を、許容しなくてもよい。この場合、ネットワークは、失敗メッセージをＵＥに送信し、当該失敗メッセージは、個別の帯域ＳBを使用するネットワークにおいてＵＥが動作することを禁止する。第２の可能性は、現在使用されている、調和された帯域ＨBと、少なくとも１つの個別の帯域または個別のレガシー帯域ＳBとの両方に対応する、動作搬送波周波数のチャネル番号を、ネットワークがシグナリングすることである。これにより、調和された帯域のみをサポートしているＵＥ（即ち、個別のレガシー帯域または個別の帯域ＳBをサポートしていないＵＥ）が、個別の帯域または個別のレガシー帯域ＳBについて規定されているチャネルナンバリング方式を実装することが可能になる。
【００５６】
実際には、レガシー・ネットワークにおいて現在使用されている帯域は、個別の帯域または個別のレガシー帯域ＳBの１つである。第２の可能性は、個別の帯域または個別のレガシー帯域ＳBのうちの１つを使用しているネットワークが、個別の帯域または個別のレガシー帯域のチャネルナンバリング方式を、システム情報において（即ち、ブロードキャスト・チャネルで、及びＵＥ固有のチャネルで）ＵＥに対してシグナリングすることを要求する。
【００５７】
世界の様々な地域で、スペクトルが利用可能になり、需要が増加するにつれて、新たな周波数帯域がモバイルサービスに対して標準化される。このため、将来には、調和されたより広い帯域ＨBのサブセットである、より狭いまたは個別の周波数帯域ＳBが、標準化される可能性がある。あらゆる帯域が、独自のチャネルナンバリング方式を有する。このため、調和された帯域ＨBのサブセットである、将来の帯域ＳBは、レガシーＵＥ（即ち、新たな個別の帯域ＳBの導入前にも作られたＵＥ）が認識することができない新たなチャネルナンバリング方式を使用することになる。したがって、調和された帯域ＨBをサポートしているレガシーＵＥは、その後の段階で（即ち、調和された帯域ＨBをサポートしているＵＥが公開された後に）標準化された個別の帯域ＳBを、認識することができない。
【００５８】
このため、調和された帯域ＨBをサポートしているレガシーＵＥは、例えば、調和された帯域ＨBをサポートしているＵＥが売りに出された後に導入された、個別の帯域ＳBで動作しているネットワークでは、動作することができない。
【００５９】
しかしながら、それでもＵＥは、セルサーチを実行してセルを識別するとともに、識別したセルにキャンプ・オンすることができる。ところが、ＵＥが、キャンプ・オンしたセルによってシグナリングされるチャネル番号を認識することができないため、ネットワークは、当該ＵＥと通信することができない（即ち、ＵＥは、セルの再選択、ハンドオーバ等を実行することができない）。
【００６０】
上述の課題を解決するために、以下の例示的な実施形態では、ＵＥ及びネットワークノードの両方における方法について説明する。
【００６１】
ＵＥにおける方法は、
‐セルを識別するためにセルサーチを実行するステップと、
‐識別したセルが周波数帯域で動作しているかを、例えば、ＵＥがサポートしている動作搬送波周波数の、シグナリングされたチャネル番号を読み取ることによって判定するために、システム情報を取得するステップと、
‐ＵＥが、識別されたセルの周波数帯域をサポートまたは認識していない場合であっても、ＵＥの周波数帯域ＨBの機能をネットワークに報告するステップと、
‐識別されたセルによって使用されている周波数帯域ＳBに対応するチャネルナンバリング方式を判定するための少なくとも１つのパラメータを含む、情報のセットを、ネットワークノードから受信するステップと、
‐周波数帯域ＳBの、シグナリングされたナンバリング方式を使用して動作する、またはネットワークと通信するステップと、
を含む。
【００６２】
ネットワークノード（例えば、コアネットワークまたはｅＮｏｄｅＢ）における対応する方法は、
‐Ｕｅの周波数帯域ＨBのサポート機能情報を、ＵＥから受信するステップであって、ＵＥが、ネットワークに属するセルであって、ＵＥによって識別されたセルを使用して、または当該セルを介して、周波数帯域ＨBのサポート機能情報を送信する、ステップと、
‐ネットワークによって使用されている周波数帯域ＳBが、ＵＥによってサポートされておらず、かつ、使用されている周波数帯域ＳBが、ＵＥによってサポートされている周波数帯域ＨBのサブセットである場合に、当該ネットワークによって現在使用されている周波数帯域ＳBに対応するチャネルナンバリング方式を用いてＵＥを構成するステップと、
‐ＵＥに対してシグナリングされる周波数帯域ＳBのチャネルナンバリング方式を使用して、ＵＥと通信するステップと、
を含む。
【００６３】
その結果、ＵＥは、新たな周波数帯域ＳB、即ち、関連する情報（例えば、ＵＥが既存のハードウェア機能を用いて動作可能な、チャネル番号範囲等）を用いて、ネットワークによって準静的に構成される。ＵＥによってサポートされる、調和された周波数帯域ＨBは、新たな／将来の個別の周波数帯域ＳBの上位セットである。このため、ＵＥハードウェア機能は、準静的に構成された将来の／個別の周波数帯域ＳBを、無線及び性能要求条件の観点からサポートできなければならない。
【００６４】
先行技術のソリューションでは、セルの識別後に当該セルのシステム情報でネットワークからシグナリングされたチャネル番号をＵＥが認識できない場合、ＵＥは、当該セルと通信することはできない。その代わりに、ＵＥは、その周波数帯域機能に合致する他のセルをサーチする。しかし、開示した実施形態では、識別したセルが、ＵＥによってサポートされている調和された周波数帯域ＨBのサブセットである、個別の複数の帯域ＳBのうちの１つで動作していることが疑われる場合には必ず、ＵＥは、当該ＵＥの周波数帯域機能をネットワークに報告する。
【００６５】
図３は、例示的な一実施形態の方法を示すシグナリング図である。図示する実施形態によれば、ＵＥは、第１の周波数帯域、即ち、調和された周波数帯域ＨBをサポートしている。ステップ３０で、ＵＥは、少なくとも１つの第２の周波数帯域に関連する少なくとも１つのパラメータを取得する。当該少なくとも１つの第２の周波数帯域は、第１の周波数帯域のサブバンドであるか、または第１の周波数帯域と重なっている。即ち、当該少なくとも１つの第２の周波数帯域は、調和された帯域ＨBと重なっている、または当該帯域のサブセットである、個別の帯域ＳBである。
【００６６】
なお、調和された周波数帯域は、図１ａ〜１ｄ、図２ａ及び図２ｂに示すように、いくつかの個別の周波数帯域をカバーしてもよい。更に、ステップ３１で、少なくとも１つの第２の周波数帯域、即ち、取得された少なくとも１つのパラメータが対応する、個別の周波数帯域ＳBが判定される。当該少なくとも１つのパラメータは、例えば、少なくとも１つの第２の周波数帯域ＳBのナンバリング方式に関連するチャネル番号（例えば、Ｅ−ＵＴＲＡＮにおけるＥＡＲＦＣＮ、ＵＴＲＡＮにおけるＵＡＲＦＣＮ等）であってもよい。当該少なくとも１つのパラメータは、また、少なくとも１つの第２の周波数帯域ＳBのチャネルラスタであってもよい。更なるステップ３２で、ＵＥは、少なくとも１つの第２の周波数帯域に関連するチャネルナンバリング方式を実装するとともに、ステップ３３で、当該少なくとも１つの周波数帯域（即ち、個別の周波数帯域ＳB）で、ネットワークノードとの通信を開始する。
【００６７】
図４は、更なる例示的な実施形態の方法を示すシグナリング図である。図示する実施形態によれば、ＵＥは、第１の周波数帯域、即ち、調和された周波数帯域ＨBをサポートしている。ＵＥは、機能情報のセットをネットワークに対して明示的にシグナリングする。当該機能情報は、調和された帯域ＨBをＵＥがサポートしていることを示すとともに、調和された帯域ＨBと重なっている、または当該帯域のサブセットである、１つ以上の個別の帯域ＳBのチャネルナンバリング方式の認識も可能であることを示す。
【００６８】
したがって、ステップ４０で、ＵＥは、少なくとも１つの第２の周波数帯域ＳBに関連するチャネルナンバリング方式を当該ＵＥが認識可能であることを、ネットワークノードに知らせる。当該少なくとも１つの第２の周波数帯域は、第１の周波数帯域のサブバンドであるか、または第１の周波数帯域と重なっている。即ち、当該少なくとも１つの第２の周波数帯域は、調和された帯域ＨBと重なっている、または当該帯域のサブセットである、個別の帯域ＳBである。なお、本実施形態においても、調和された帯域は、いくつかの個別の周波数帯域をカバーしてもよいことに留意されたい。次に、ネットワークノードは、ステップ４１で、少なくとも１つの第２の周波数帯域が当該ネットワークノードにおいて使用されているかを判定する。更に、ネットワークノードは、少なくとも１つの第２の周波数帯域が使用されていると判定した場合、ステップ４２で、少なくとも１つの第２の周波数帯域（即ち、個別の周波数帯域ＳB）に関連する少なくとも１つのパラメータを、ＵＥに送信する。例えば、当該少なくとも１つのパラメータは、少なくとも１つの第２の周波数帯域（即ち、現在使用されている個別の帯域ＳB）に対応する動作搬送波周波数のチャネル番号であってもよい。当該少なくとも１つのパラメータは、例えば、チャネル番号（例えば、Ｅ−ＵＴＲＡＮにおけるＥＡＲＦＣＮ、ＵＴＲＡＮにおけるＵＡＲＦＣＮ等）であってもよい。当該少なくとも１つのパラメータは、また、チャネルラスタであってもよい。ステップ４３で、ＵＥは、少なくとも１つの第２の周波数帯域に関連する少なくとも１つのパラメータを、ネットワークノードから受信することによって取得する。更に、ステップ４４で、取得された少なくとも１つのパラメータが対応する、少なくとも１つの第２の周波数帯域（即ち、個別の周波数帯域ＳB）が、ＵＥにおいて判定される。更なるステップ４５で、ＵＥは、少なくとも１つの第２の周波数帯域に関連するチャネルナンバリング方式を実装するとともに、ステップ４６で、少なくとも１つの第２の周波数帯域（即ち、個別の周波数帯域ＳB）で、ネットワークノードとの通信を開始する。一実施形態において、第１の周波数帯域（即ち、調和された周波数帯域）がネットワークにおいて使用される場合に、ネットワークは、第１の周波数帯域（即ち、調和された周波数帯域ＨB）に関連する第２のパラメータを、ＵＥに送信してもよい。当該第２のパラメータは、ＵＥがネットワークと通信する場合に、第１の周波数帯域のチャネルナンバリング方式が使用されなければならないことを示してもよい。当該パラメータは、ＵＥ固有のチャネルでブロードキャストまたは提供されてもよい。
【００６９】
したがって、本実施形態の方法によれば、調和された帯域のみをサポートしているＵＥ（即ち、個別の帯域ＳBをサポートしていないＵＥ）が、個別の帯域ＳBに対して規定されたチャネルナンバリング方式を使用して動作することが可能になる。
【００７０】
図５は、別の更なる例示的な一実施形態の方法を示すシグナリング図である。図示する実施形態によれば、ＵＥは、第１の周波数帯域、即ち、調和された周波数帯域ＨBをサポートしている。しかし、ＵＥは、調和された帯域ＨBのサブセットである将来の周波数帯域ＳBが、新たなチャネルナンバリング方式を使用するという事実に起因して、その後の段階で（即ち、調和された帯域ＨBをサポートしているＵＥが公開された後に）標準化される個別の帯域ＳBをサポートしていない。なお、本実施形態においても、調和された帯域は、いくつかの将来の個別の周波数帯域をカバーしてもよいことに留意されたい。
【００７１】
最初のステップ５０で、ＵＥは、セルサーチを実行してセルを識別することで、当該セルにキャンプ・オンする。セルを識別した後、ステップ５１で、ＵＥは、システム情報を取得する。更なるステップ５２で、ＵＥは、取得したシステム情報に基づいて、識別したセルをサービングしているネットワークノードが、ＵＥによってサポートされている第１の周波数帯域（即ち、調和された周波数帯域ＨB）で動作しているかを判定する。これは、当該セルをサービングしているネットワークノードによって送信された、動作搬送波周波数の、シグナリングされたチャネル番号を読み取ることによって実行されてもよい。更に、ＵＥは、ステップ５３で、識別したセルの周波数帯域を当該ＵＥがサポートまたは認識していない場合であっても、第１の周波数帯域機能をネットワークノードに報告する。ネットワークノードは、ＵＥが第１の周波数帯域機能を有するという報告を受信し、その結果、ステップ５４で、少なくとも１つの第２の周波数帯域に関連する少なくとも１つのパラメータをＵＥに送信する。当該少なくとも１つの第２の周波数帯域は、第１の周波数帯域のサブバンドであるか、または第１の周波数帯域と重なっている（即ち、当該少なくとも１つの第２の周波数帯域は、調和された帯域ＨBと重なっている、または当該帯域のサブセットである、個別の帯域ＳBである）。例えば、少なくとも１つのパラメータは、第１の周波数帯域（即ち、調和された帯域ＨB）と、ネットワークで現在使用されている少なくとも１つの第２の周波数帯域（即ち、個別の周波数帯域ＳB）との両方に、対応していてもよい。当該少なくとも１つのパラメータは、例えば、チャネル番号（例えば、Ｅ−ＵＴＲＡＮにおけるＥＡＲＦＣＮ、ＵＴＲＡＮにおけるＵＡＲＦＣＮ等）であってもよい。当該少なくとも１つのパラメータは、また、チャネルラスタであってもよい。ステップ５５で、ＵＥは、少なくとも１つの第２の周波数帯域に関連する少なくとも１つのパラメータを、ネットワークノードから受信することによって取得する。更に、ステップ５６で、取得された少なくとも１つのパラメータが対応する、少なくとも１つの第２の周波数帯域（即ち、個別の周波数帯域ＳB）が、ＵＥにおいて判定される。更なるステップ５７で、ＵＥは、少なくとも１つの第２の周波数帯域に関連するチャネルナンバリング方式を実装するとともに、ステップ５８で、少なくとも１つの第２の周波数帯域（即ち、個別の周波数帯域ＳB）で、ネットワークノードとの通信を開始する。
【００７２】
上述の実施形態は、適切な通信標準規格をサポートし、かつ、任意の適切な構成要素を使用する、任意の適切な種類の通信システムにおいて実装されうるものの、特定の実施形態は、図６に示すネットワークのような、ロング・ターム・エヴォリューション（ＬＴＥ）ネットワークにおいて実装されうる。
【００７３】
図６に示すように、一例のネットワーク６００は、複数のＵＥ装置（ＵＥ）６１と、これらのＵＥ６１と通信可能な１つ以上の基地局６０と、ＵＥ６１間の通信、またはＵＥ６１と、有線通信電話のような別の通信装置との間の通信をサポートするのに適した、任意の追加的なエレメントとから成る、１つ以上のインスタンスを含みうる。図示したＵＥ６１は、ハードウェア及びソフトウェアの少なくともいずれかについての任意の適切な組み合わせを含む通信装置を表しうるものの、これらのＵＥ６１は、特定の実施形態では、図７でより詳細に示す、一例のＵＥ６１のような装置を表しうる。同様に、図示した基地局６０は、ハードウェア及びソフトウェアの少なくともいずれかについての任意の適切な組み合わせを含む通信装置を表しうるものの、これらの基地局６０は、特定の実施形態では、図８により詳細に示す、一例の基地局６０のような装置を表しうる。図７に示すように、一例のＵＥ７００は、プロセッサ７０１、記憶装置７０２、送受信機７０３、及びアンテナ７０４を備える。特定の実施形態において、移動通信装置または他の形式のＵＥによって提供されるような、上述の機能の一部または全ては、図７に示す記憶装置７０２のような、コンピュータで読み取り可能な媒体に格納された命令を実行する、ＵＥプロセッサ７０１によって提供されうる。
【００７４】
ＵＥ７００の代替的な実施形態は、上述の機能、及び上述の実施形態をサポートするのに必要な任意の機能の少なくともいずれかを含む、ＵＥの機能の特定の側面を提供することに関与しうる、図７にはない追加の構成要素を含みうる。
【００７５】
例示的な一実施形態において、ＵＥ７００は、セルラ通信システムに含まれるネットワークノード８００と通信するとともに、第１の周波数帯域（即ち、調和された周波数帯域ＨB）をサポートする。ＵＥ７００は、少なくとも１つの第２の周波数帯域（即ち、個別の周波数帯域ＳB）に関連する少なくとも１つのパラメータを取得するプロセッサ７０１を備える。プロセッサ７０１は、更に、取得した少なくとも１つのパラメータが対応する、少なくとも１つの周波数帯域を判定する。当該少なくとも１つの第２の周波数帯域（即ち、個別の周波数帯域ＳB）は、第１の周波数帯域（調和された周波数帯域ＨB）のサブバンドであるか、または当該第１の周波数帯域と重なっている。更に、プロセッサ７０１は、少なくとも１つの第２の周波数帯域に関連するチャネルナンバリング方式を実装する。ＵＥは、少なくとも１つの第２の周波数帯域でネットワークノード８００と通信する送受信機７０３を、追加的に備える。
【００７６】
更なる一実施形態において、送受信機７０３は、更に、ＵＥ７００が少なくとも１つの第２の周波数帯域に関連するチャネルナンバリング方式を実装することが可能であることを、ネットワークノード８００に知らせる。また、送受信機７０３は、少なくとも１つのパラメータを、ネットワークノード８００から受信してもよい。当該少なくとも１つのパラメータは、少なくとも１つの第２の周波数帯域（即ち、個別の周波数帯域ＳB）に関連しており、また、当該少なくとも１つのパラメータは、第１の周波数帯域（即ち、調和された周波数帯域ＨB）に更に関連している。
【００７７】
更に別の例示的な一実施形態において、プロセッサ７０１は、更に、ネットワークノード８００が第１の周波数帯域で動作しているかを判定する。また、送受信機７０３は更に、ＵＥ７００が第１の周波数帯域機能を有していることを、ネットワークノード８００に報告する。送受信機７０３は、その後、少なくとも１つの第２の周波数帯域に関連する少なくとも１つのパラメータを、ネットワークノード８００から受信してもよい。
【００７８】
図８に示すように、一例の基地局８００は、プロセッサ８０１、記憶装置８０２、送受信機８０３、アンテナ８０４及びネットワーク・インタフェース８０５を備える。特定の実施形態において、移動基地局、基地局制御装置、ノードＢ、進化型ノードＢ、及び他の任意の種類の移動通信ノードの少なくとも１つによって提供されるような、上述の機能の一部または全ては、図８に示す記憶装置８０２のような、コンピュータで読み取り可能な媒体に格納された命令を実行する、基地局ＵＥプロセッサ８０１によって提供されうる。基地局の代替的な実施形態は、上述の機能、及び上述の実施形態をサポートするのに必要な任意の機能の少なくともいずれかを含む、追加な機能を提供することに関与する、追加の構成要素を含みうる。
【００７９】
例示的な一実施形態において、ネットワーク８００は、セルラ通信システムにおいて使用され、第１の周波数帯域（即ち、調和された周波数帯域ＨB）をサポートするＵＥ７００と通信する。ネットワークノード８００は、少なくとも１つの第２の周波数帯域（即ち、個別の周波数帯域ＳB）に関連するチャネルナンバリング方式をＵＥが認識できるという情報（indication）を、ＵＥ７００から受信する。当該少なくとも１つの第２の周波数帯域は、第１の周波数帯域のサブバンドであるか、または、第１の周波数帯域と重なっている。ネットワークノード８００は、更に、少なくとも１つの第２の周波数帯域がネットワークノード８００において使用されているかを判定する、プロセッサ８０１を備える。当該少なくとも１つの第２の周波数帯域が使用されている場合、送受信機８０３は、更に、当該少なくとも１つの第２の周波数帯域に関連する少なくとも１つのパラメータを、ＵＥ７００に送信する。また、当該少なくとも１つのパラメータは、更に、第１の周波数帯域（即ち、調和された周波数帯域ＨB）に関連している。また、送受信機８０３は、少なくとも１つの第２の周波数帯域（即ち、個別の周波数帯域ＳB）でも、ＵＥ７００と通信を行う。
【００８０】
例示的な一実施形態において、送受信機８０３は、ＵＥ７００が第１の周波数帯域機能を有するという報告を、ＵＥ７００から受信する。更に、送受信機８０３は、少なくとも１つの第２の周波数帯域（即ち、個別の周波数帯域ＳB）に関連する少なくとも１つのパラメータを、ＵＥ７００に送信する。
【００８１】
上述のように、ネットワークノード８００は、Ｅ−ＵＴＲＡＮシステムに含まれるコアネットワークノードまたは基地局、あるいは、ＵＴＲＡＮシステムに含まれる基地局または無線ネットワーク制御装置であってもよい。
【００８２】
本開示は、上述の好適な実施形態に限定されない。種々の代替手段、変形、及び均等物が使用されうる。したがって、上述の実施形態は、本開示の範囲を限定するものと解釈されるべきではない。
【図１ａ】
0005877836.tif 000002
【図１ｂ】
0005877836.tif 000003
【図１ｃ】
0005877836.tif 000004
【図１ｄ】
0005877836.tif 000005
【図２ａ】
0005877836.tif 000006
【図２ｂ】
0005877836.tif 000007
【図３】
0005877836.tif 000008
【図４】
0005877836.tif 000009
【図５】
0005877836.tif 000010
【図６】
0005877836.tif 000011
【図７】
0005877836.tif 000012
【図８】
0005877836.tif 000013